【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
２つ以上のシンボル期間を含む第１の持続時間を持つ第１の送信時間間隔（ＴＴＩ）と、前記第１の持続時間より短い第２の持続時間を持つ第２のＴＴＩとを識別することと、
前記第１のＴＴＩに関連付けられた第１の制御情報についてモニタするための第１の探索空間を識別することと、
前記第１の探索空間に少なくとも部分的に基づいて、前記第２のＴＴＩに関連付けられた第２の制御情報についてモニタするための第２の探索空間を決定することと、
前記第１の制御情報についての前記第１の探索空間または前記第２の制御情報についての前記第２のもののうちの少なくとも１つをモニタすることと
を備える、方法。
【請求項２】
前記第２の探索空間は、前記第１の探索空間のサブセットである、
請求項１に記載の方法。
【請求項３】
前記第１の探索空間を前記識別することは、
受信したワイヤレス送信の復号のための複数の復号候補と、前記第１の制御情報および前記第２の制御情報のアイデンティフィケーションとを導出することと、
前記第１の探索空間中にあるとして前記復号候補の第１のサブセットを識別することと
を備える、請求項１に記載の方法。
【請求項４】
前記第２の探索空間を前記決定することは、
前記第２の探索空間中にあるとして前記復号候補の第２のサブセットを識別すること
を備える、請求項３に記載の方法。
【請求項５】
前記復号候補の第１のサブセットおよび前記復号候補の第２のサブセットは、前記複数の復号候補の重複しないサブセットである、
請求項４に記載の方法。
【請求項６】
前記導出することは、ユーザ機器（ＵＥ）ネットワーク識別子、ランダムシード、または制御情報のために利用可能な合計サイズのうちの１つまたは複数に少なくとも部分的に基づく、
請求項３に記載の方法。
【請求項７】
前記第２の探索空間を前記決定することは、
第２のＵＥネットワーク識別子または第２のランダムシードのうちの１つまたは複数に少なくとも部分的に基づいて前記第２の探索空間を導出することを備える、
請求項６に記載の方法。
【請求項８】
前記第１の制御情報は、第１のダウンリンク制御情報（ＤＣＩ）サイズおよび第１のＤＣＩフォーマットを有する第１のＤＣＩを備え、前記第２の制御情報は、第２のＤＣＩサイズおよび第２のＤＣＩフォーマットを有する第２のＤＣＩを備え、前記第１のＤＣＩサイズと前記第２のＤＣＩサイズ、あるいは前記第１のＤＣＩフォーマットと前記第２のＤＣＩフォーマットのうちの１つまたは複数は、異なる、
請求項１に記載の方法。
【請求項９】
前記第１のＤＣＩサイズは、前記第２のＤＣＩサイズより大きい、
請求項８に記載の方法。
【請求項１０】
前記第１のＤＣＩサイズおよび第２のＤＣＩサイズは、同じであり、前記第２のＤＣＩのうちの１または複数のビットは、前記第１のＤＣＩ中の対応するビットと異なる情報を提供する、
請求項８に記載の方法。
【請求項１１】
前記第１のＤＣＩは、巡回冗長検査（ＣＲＣ）ビットの第１の数を含み、前記第２のＤＣＩは、前記ＣＲＣビットの第１の数より多いＣＲＣビットの第２の数を含む、
請求項８に記載の方法。
【請求項１２】
前記モニタすることは、
前記第１の制御情報についての前記第１の探索空間において受信したワイヤレス送信をブラインド復号することと、
前記第２の制御情報についての前記第２の探索空間において受信したワイヤレス送信をブラインド復号することと
を備える、請求項１に記載の方法。
【請求項１３】
前記第２のＴＴＩ送信のためのアグリゲーションレベルの利用可能な数、または前記第２の制御情報のために利用可能なＤＣＩフォーマットのうちの１つまたは複数に少なくとも部分的に基づいて前記第２の探索空間において受信した送信をブラインド復号するためのブラインド復号候補のセットを識別することをさらに備える、
請求項１２に記載の方法。
【請求項１４】
ワイヤレス通信のための装置であって、
２つ以上のシンボル期間を含む第１の持続時間を持つ第１の送信時間間隔（ＴＴＩ）と、前記第１の持続時間より短い第２の持続時間を持つ第２のＴＴＩとを識別するための手段と、
前記第１のＴＴＩに関連付けられた第１の制御情報についてモニタするための第１の探索空間を識別するための手段と、
前記第１の探索空間に少なくとも部分的に基づいて、前記第２のＴＴＩに関連付けられた第２の制御情報についてモニタするための第２の探索空間を決定するための手段と、
前記第１の制御情報についての前記第１の探索空間または前記第２の制御情報についての前記第２のもののうちの少なくとも１つをモニタするための手段と
を備える、装置。
【請求項１５】
装置によって実行されると、前記装置に、請求項１乃至１３のいずれか１項に記載の前記ステップを実行させる命令を備えるコンピュータプログラム。
【手続補正２】
【補正対象書類名】明細書
【補正対象項目名】０１５０
【補正方法】変更
【補正の内容】
【０１５０】
[163]当業者に既知である、または後に知られるようになる、本開示全体にわたって説明されている様々な態様の要素に対する全ての構造的および機能的な同等物が、参照によって本明細書に明確に組み込まれ、特許請求の範囲によって包含されるよう意図されている。さらに、本明細書で開示されたものが、特許請求の範囲に明示的に記載されているかどうかにかかわらず、そのような開示は公に寄与されることを意図したものではない。「モジュール」、「メカニズム」、「要素」、「デバイス」、「コンポーネント」、および同様の用語は、「手段」という用語の代用物でないこともある。このように、いずれの請求項の要素も、その要素が「〜のための手段」というフレーズを使用して明示的に記載されていない限り、ミーンズプラスファンクションとして解釈されるべきではない。
以下に、本願出願の当初の特許請求の範囲に記載された発明を付記する。
［Ｃ１］
ワイヤレス通信の方法であって、
２つ以上のシンボル期間を含む第１の持続時間を持つ第１の送信時間間隔（ＴＴＩ）と前記第１の持続時間より短い第２の持続時間を持つ第２のＴＴＩとを識別することと、
前記第１のＴＴＩに関連付けられた第１の制御情報についてモニタするための第１の探索空間を識別することと、
前記第１の探索空間に少なくとも部分的に基づいて、前記第２のＴＴＩに関連付けられた第２の制御情報についてモニタするための第２の探索空間を決定することと
前記第１の制御情報についての前記第１の探索空間または前記第２の制御情報についての前記第２のもののうちの少なくとも１つをモニタすることと
を備える、方法。
［Ｃ２］
前記第２の探索空間は、前記第１の探索空間に関連付けられる、
［Ｃ１］に記載の方法。
［Ｃ３］
前記第２の探索空間は、前記第１の探索空間のサブセットである、
［Ｃ１］に記載の方法。
［Ｃ４］
前記第１の探索空間を前記識別することは、
受信したワイヤレス送信の復号のための複数の復号候補と前記第１の制御情報および前記第２の制御情報のアイデンティフィケーションを導出することと、
前記第１の探索空間中にあるとして前記復号候補の第１のサブセットを識別すること
を備える、［Ｃ１］に記載の方法。
［Ｃ５］
前記第２の探索空間を前記決定することは、
前記第２の探索空間中にあるとして前記復号候補の第２のサブセットを識別すること
を備える、［Ｃ４］に記載の方法。
［Ｃ６］
前記復号候補の第１のサブセットおよび前記復号候補の第２のサブセットは、前記複数の復号候補の重複しないサブセットである、
［Ｃ５］に記載の方法。
［Ｃ７］
前記導出することは、ユーザ機器（ＵＥ）ネットワーク識別子、ランダムシード、または制御情報のために利用可能な合計サイズのうちの１つまたは複数に少なくとも部分的に基づく、
［Ｃ４］に記載の方法。
［Ｃ８］
前記第２の探索空間を前記決定することは、
第２のＵＥネットワーク識別子または第２のランダムシードのうちの１つまたは複数に少なくとも部分的に基づいて前記第２の探索空間を導出することを備える、
［Ｃ７］に記載の方法。
［Ｃ９］
前記第１の制御情報は、第１のダウンリンク制御情報（ＤＣＩ）サイズおよび第１のＤＣＩフォーマットを有する第１のＤＣＩを備え、前記第２の制御情報は、第２のＤＣＩサイズおよび第２のＤＣＩフォーマットを有する第２のＤＣＩを備え、前記第１のＤＣＩサイズと前記第２のＤＣＩサイズあるいは前記第１のＤＣＩフォーマットと前記第２のＤＣＩフォーマットのうちの１つまたは複数は、異なる、
［Ｃ１］に記載の方法。
［Ｃ１０］
前記第１のＤＣＩサイズは、前記第２のＤＣＩサイズより大きい、
［Ｃ９］に記載の方法。
［Ｃ１１］
前記第１のＤＣＩサイズおよび第２のＤＣＩサイズは、同じであり、前記第２のＤＣＩのうちの１または複数のビットは、前記第１のＤＣＩ中の対応するビットと異なる情報を提供する、
［Ｃ９］に記載の方法。
［Ｃ１２］
前記第１のＤＣＩは、巡回冗長検査（ＣＲＣ）ビットの第１の数を含み、前記第２のＤＣＩは、前記ＣＲＣビットの第１の数より多いＣＲＣビットの第２の数を含む、
［Ｃ９］に記載の方法。
［Ｃ１３］
前記モニタすることは、
前記第１の制御情報についての前記第１の探索空間において受信したワイヤレス送信をブラインド復号することと
前記第２の制御情報についての前記第２の探索空間において受信したワイヤレス送信をブラインド復号することと
を備える、［Ｃ１］に記載の方法。
［Ｃ１４］
前記第２のＴＴＩ送信のためのアグリゲーションレベルの利用可能な数、前記第２の制御情報のために利用可能なＤＣＩフォーマットのうちの１つまたは複数に少なくとも部分的に基づいて前記第２の探索空間中で受信した送信をブラインド復号するためのブラインド復号候補のセットを識別することをさらに備える、
［Ｃ１３］に記載の方法。
［Ｃ１５］
前記第１の探索空間のための異なるブラインド復号候補のセットは、前記第２のＴＴＩを使用する送信が構成されないときより前記第２のＴＴＩを使用する送信が構成されるときに識別される、
［Ｃ１４］に記載の方法。
［Ｃ１６］
前記第２の制御情報に関連付けられたハイブリッド自動再送要求（ＨＡＲＱ）フィードバックについてのラウンドトリップ時間（ＲＴＴ）に少なくとも部分的に基づいて前記第２の探索空間中で受信した送信をブラインド復号するためのブラインド復号候補のセットを識別することをさらに備える、
［Ｃ１３］に記載の方法。
［Ｃ１７］
前記第１の制御情報に関連付けられたＨＡＲＱフィードバックについての第１のＲＴＴを識別することと
前記第２の制御情報に関連付けられたＨＡＲＱフィードバックについての第２のＲＴＴを識別すること、ここにおいて、前記第２のＲＴＴは、前記第１のＲＴＴより短い、と
をさらに備える、［Ｃ１］に記載の方法。
［Ｃ１８］
前記第２のＲＴＴは、前記第２の制御情報を受信するＵＥの能力に少なくとも部分的に基づいて決定される、
［Ｃ１７］に記載の方法。
［Ｃ１９］
前記第１のＲＴＴは、前記ＵＥの前記能力に少なくとも部分的に基づいて前記レガシーＲＴＴより短いＲＴＴまたはレガシーＲＴＴになるように決定される、
［Ｃ１８］に記載の方法。
［Ｃ２０］
前記第２の制御情報は、ワイヤレス送信サブフレームの第１のスロットにおいて送信される第２の制御情報の第１のサブセットと、前記ワイヤレス送信サブフレームの第２のスロットにおいて送信される第２の制御情報の第２のサブセットとを備える、
［Ｃ１］に記載の方法。
［Ｃ２１］
前記ワイヤレス送信サブフレームの前記第１のスロットにおいて送信される前記第１のサブセットは、前記第１のスロットにおける共有チャネルデータ送信で時分割多重化される制御チャネル中で送信され、前記ワイヤレス送信サブフレームの前記第２のスロットにおいて送信される第２のサブセットは、前記第２のスロットにおける共有チャネルデータ送信で時分割多重化および周波数分割多重化の両方が行われる第２の制御チャネル中で送信される、
［Ｃ２０］に記載の方法。
［Ｃ２２］
前記第２の制御情報の第２のサブセットのシンボルロケーションまたは構成される開始シンボルロケーションのうちの１つまたは複数に少なくとも部分的に基づいて前記第２のスロット中の前記第２の共有チャネルデータ送信のための開始シンボルを決定することをさらに備える、
［Ｃ２０］に記載の方法。
［Ｃ２３］
前記第２の制御情報の第２のサブセットについてモニタするための前記第２のスロット中の第３の探索空間を決定することと、
前記第３の探索空間に少なくとも部分的に基づいて前記第２のスロットにおける前記共有チャネルデータ送信のための開始シンボルを決定することと
をさらに備える、［Ｃ２０］に記載の方法。
［Ｃ２４］
前記第３の探索空間は、制御情報送信のために構成される前記第２のスロットのリソースブロック（ＲＢ）のセットに少なくとも部分的に基づいて決定される、
［Ｃ２３］に記載の方法。
［Ｃ２５］
前記第１の探索空間および第２の探索空間は、前記第１のスロットにおける送信のためのシステム帯域幅にわたって分配され、前記第３の探索空間は、前記システム帯域幅のサブセットにわたって分配される、
［Ｃ２３］に記載の方法。
［Ｃ２６］
前記第３の探索空間は、前記第２の制御情報に関連付けられた送信モードに少なくとも部分的に基づいて決定される、
［Ｃ２３］に記載の方法。
［Ｃ２７］
前記第２の制御情報の第２のサブセットは、前記ワイヤレス送信サブフレームの前記第２のスロットにおいて送信される物理ダウンリンク制御チャネル（ＰＤＣＣＨ）情報または物理制御フォーマットインジケータチャネル（ＰＣＦＩＣＨ）情報のうちの１つまたは複数を備える、
［Ｃ２０］に記載の方法。
［Ｃ２８］
ワイヤレス通信のための装置であって、
２つ以上のシンボル期間を含む第１の持続時間を持つ第１の送信時間間隔（ＴＴＩ）と前記第１の持続時間より短い第２の持続時間を持つ第２のＴＴＩとを識別するための手段と、
前記第１のＴＴＩに関連付けられた第１の制御情報についてモニタするための第１の探索空間を識別するための手段と、
前記第１の探索空間に少なくとも部分的に基づいて、前記第２のＴＴＩに関連付けられた第２の制御情報についてモニタするための第２の探索空間を決定するための手段と
前記第１の制御情報についての前記第１の探索空間または前記第２の制御情報についての前記第２のもののうちの少なくとも１つをモニタするための手段と
を備える装置。
［Ｃ２９］
ワイヤレス通信のための装置であって、
プロセッサと、
前記プロセッサと電子的に通信するメモリと、
前記メモリ中に記憶された命令と
を備え、前記命令は、前記プロセッサによって実行されると、前記装置に、
２つ以上のシンボル期間を含む第１の持続時間を持つ第１の送信時間間隔（ＴＴＩ）と前記第１の持続時間より短い第２の持続時間を持つ第２のＴＴＩとを識別することと、
前記第１のＴＴＩに関連付けられた第１の制御情報についてモニタするための第１の探索空間を識別することと、
前記第１の探索空間に少なくとも部分的に基づいて、前記第２のＴＴＩに関連付けられた第２の制御情報についてモニタするための第２の探索空間を決定することと
前記第１の制御情報についての前記第１の探索空間または前記第２の制御情報についての前記第２のもののうちの少なくとも１つをモニタすることと
を行わせるように動作可能である、装置。
［Ｃ３０］
ワイヤレス通信のためのコードを記憶する非一時的コンピュータ可読媒体であって、前記コードは、
２つ以上のシンボル期間を含む第１の持続時間を持つ第１の送信時間間隔（ＴＴＩ）と前記第１の持続時間より短い第２の持続時間を持つ第２のＴＴＩとを識別することと、
前記第１のＴＴＩに関連付けられた第１の制御情報についてモニタするための第１の探索空間を識別することと、
前記第１の探索空間に少なくとも部分的に基づいて、前記第２のＴＴＩに関連付けられた第２の制御情報についてモニタするための第２の探索空間を決定することと
前記第１の制御情報についての前記第１の探索空間または前記第２の制御情報についての前記第２のもののうちの少なくとも１つをモニタすることと
を行わせるように実行可能である、非一時的コンピュータ可読媒体。